【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、
ベースレイヤと1つまたは複数の複数のエンハンスレイヤを備える符号化されたビデオビットストリームを生成するステップであって、前記符号化されたビデオビットストリームが前記符号化されたビデオビットストリームのパラメータを定義するビデオパラメータセット(VPS)を含み、前記ベースレイヤのパラメータは前記VPSの基本部分で定義され、前記1つまたは複数のエンハンスレイヤのパラメータは少なくとも前記VPSのVPS拡張部分で定義され、前記VPSの前記VPS拡張部分は前記1つまたは複数のエンハンスレイヤに適用されるビデオ使用可能性情報(VUI)を含む、ステップと、
前記VPSにおいてタイミング情報がシグナリングされるかどうかを決定するステップと、
タイミング情報が前記VPSにおいてシグナリングされるかどうかに基づいて、前記VPSの前記VPS拡張部分の前記VUIにおいて仮の参照デコーダパラメータをシグナリングするかどうかを決定するステップとを備える、方法。
【請求項２】
タイミング情報が前記VPSにおいてシグナリングされるとき、前記VPSの前記VPS拡張部分の前記VUIにおいて前記仮の参照デコーダパラメータをシグナリングするステップをさらに備える、請求項1に記載の方法。
【請求項３】
タイミング情報が前記VPSにおいてシグナリングされないとき、前記VPSの前記VPS拡張部分の前記VUIにおいて前記仮の参照デコーダパラメータをシグナリングしないステップをさらに備える、請求項1に記載の方法。
【請求項４】
前記VPSにおいて前記タイミング情報がシグナリングされるかどうかを決定するステップが、前記VPSの中の第1のフラグの値を決定するステップを含み、前記第1のフラグが、前記タイミング情報が前記VPSにおいてシグナリングされるかどうかを示す、請求項1に記載の方法。
【請求項５】
前記第1のフラグの前記値に基づいて前記VPSの前記VPS拡張部分の前記VUIの中の第2のフラグの値を決定するステップをさらに備え、前記第2のフラグが、前記VPSの前記VPS拡張部分の前記VUIにおいて仮の参照デコーダパラメータがシグナリングされるかどうかを定義する、請求項4に記載の方法。
【請求項６】
前記VPSの前記VPS拡張部分の前記VUIにおいて、前記符号化されたビデオビットストリームに関する情報をシグナリングするための1つまたは複数のシンタックス要素を提供するステップをさらに備え、前記情報が、前記第2のフラグの前記値が前記第1のフラグの前記値に依存するという条件を含む、請求項5に記載の方法。
【請求項７】
前記VPSの前記VPS拡張部分の前記VUIにおいて、前記符号化されたビデオビットストリームに関する情報をシグナリングするための1つまたは複数のシンタックス要素を提供するステップをさらに備え、前記情報が、前記第1のフラグの前記値が0に等しいときに前記第2のフラグの前記値が0に設定されるべきであるという制約を含む、請求項5に記載の方法。
【請求項８】
ワイヤレス通信デバイスにおいて実行可能であり、前記デバイスが、
前記ビデオデータを記憶するように構成されるメモリと、
前記メモリに記憶された前記ビデオデータを処理するための命令を実行するように構成されるプロセッサと、
前記VPSを含む前記符号化されたビデオビットストリームを送信するように構成される送信機とを備える、請求項1に記載の方法。
【請求項９】
前記ワイヤレス通信デバイスが携帯電話であり、前記符号化されたビデオビットストリームがセルラー通信規格に従って変調される、請求項8に記載の方法。
【請求項１０】
ビデオデータを記憶するように構成されるメモリと、
プロセッサとを備え、前記プロセッサが、
前記ビデオデータから、ベースレイヤと1つまたは複数の複数のエンハンスレイヤを備える符号化されたビデオビットストリームを生成することであって、前記符号化されたビデオビットストリームが前記符号化されたビデオビットストリームのパラメータを定義するビデオパラメータセット(VPS)を含み、前記ベースレイヤのパラメータは前記VPSの基本部分で定義され、前記1つまたは複数のエンハンスレイヤのパラメータは少なくとも前記VPSのVPS拡張部分で定義され、前記VPSの前記VPS拡張部分は前記1つまたは複数のエンハンスレイヤに適用されるビデオ使用可能性情報(VUI)を含む、生成することと、
前記VPSにおいてタイミング情報がシグナリングされるかどうかを決定することと、
タイミング情報が前記VPSにおいてシグナリングされるかどうかに基づいて、前記VPSの前記VPS拡張部分の前記VUIにおいて仮の参照デコーダパラメータをシグナリングするかどうかを決定することと
を行うように構成される、装置。
【請求項１１】
前記プロセッサが、タイミング情報が前記VPSにおいてシグナリングされるとき、前記VPSの前記VPS拡張部分の前記VUIにおいて前記仮の参照デコーダパラメータをシグナリングするように構成される、請求項10に記載の装置。
【請求項１２】
前記プロセッサが、タイミング情報が前記VPSにおいてシグナリングされないとき、前記VPSの前記VPS拡張部分の前記VUIにおいて前記仮の参照デコーダパラメータをシグナリングしないと決定するように構成される、請求項10に記載の装置。
【請求項１３】
前記VPSにおいて前記タイミング情報がシグナリングされるかどうかを決定することが、前記VPSの中の第1のフラグの値を決定することを含み、前記第1のフラグが、前記タイミング情報が前記VPSにおいてシグナリングされるかどうかを示す、請求項10に記載の装置。
【請求項１４】
前記プロセッサが、前記第1のフラグの前記値に基づいて前記VPSの前記VPS拡張部分の前記VUIの中の第2のフラグの値を決定するように構成され、前記第2のフラグが、前記VPSの前記VPS拡張部分の前記VUIにおいて仮の参照デコーダパラメータがシグナリングされるかどうかを定義する、請求項13に記載の装置。
【請求項１５】
前記プロセッサが、前記VPSの前記VPS拡張部分の前記VUIにおいて、前記符号化されたビデオビットストリームに関する情報をシグナリングするための1つまたは複数のシンタックス要素を提供するように構成され、前記情報が、前記第2のフラグの前記値が前記第1のフラグの前記値に依存するという条件を含む、請求項14に記載の装置。
【請求項１６】
前記プロセッサが、前記VPSの前記VPS拡張部分の前記VUIにおいて、前記符号化されたビデオビットストリームに関する情報をシグナリングするための1つまたは複数のシンタックス要素を提供するように構成され、前記情報が、前記第1のフラグの前記値が0に等しいときに前記第2のフラグの前記値が0に設定されるべきであるという制約を含む、請求項14に記載の装置。
【請求項１７】
ワイヤレス通信デバイスであり、
前記VPSを含む前記符号化されたビデオビットストリームを送信するように構成される送信機をさらに備える、請求項10に記載の装置。
【請求項１８】
前記ワイヤレス通信デバイスが携帯電話であり、前記符号化されたビデオビットストリームがセルラー通信規格に従って変調される、請求項17に記載の装置。
【請求項１９】
1つまたは複数のプロセッサによって実行されると、前記1つまたは複数のプロセッサに、
ベースレイヤと1つまたは複数の複数のエンハンスレイヤを備える符号化されたビデオビットストリームを生成するステップであって、前記符号化されたビデオビットストリームが前記符号化されたビデオビットストリームのパラメータを定義するビデオパラメータセット(VPS)を含み、前記ベースレイヤのパラメータは前記VPSの基本部分で定義され、前記1つまたは複数のエンハンスレイヤのパラメータは少なくとも前記VPSのVPS拡張部分で定義され、前記VPSの前記VPS拡張部分は前記1つまたは複数のエンハンスレイヤに適用されるビデオ使用可能性情報(VUI)を含む、ステップと、
前記VPSにおいてタイミング情報がシグナリングされるかどうかを決定するステップと、
タイミング情報が前記VPSにおいてシグナリングされるかどうかに基づいて、前記VPSの前記VPS拡張部分の前記VUIにおいて仮の参照デコーダパラメータをシグナリングするかどうかを決定するステップと
を含む方法を実行する命令を記憶した、コンピュータ可読記憶媒体。
【請求項２０】
前記1つまたは複数のプロセッサにより実行されたとき、前記1つまたは複数のプロセッサに、タイミング情報が前記VPSにおいてシグナリングされるとき、前記VPSの前記VPS拡張部分の前記VUIにおいて前記仮の参照デコーダパラメータをシグナリングするステップをさらに備える、請求項19に記載のコンピュータ可読記憶媒体。
【請求項２１】
前記1つまたは複数のプロセッサにより実行されたとき、前記1つまたは複数のプロセッサに、タイミング情報が前記VPSにおいてシグナリングされないとき、前記VPSの前記VPS拡張部分の前記VUIにおいて前記仮の参照デコーダパラメータをシグナリングしないようにさせる命令をさらに備える、請求項19に記載のコンピュータ可読記憶媒体。
【請求項２２】
前記VPSにおいて前記タイミング情報がシグナリングされるかどうかを決定するステップが、前記VPSの中の第1のフラグの値を決定するステップを含み、前記第1のフラグが、前記タイミング情報が前記VPSにおいてシグナリングされるかどうかを示す、請求項19に記載のコンピュータ可読記憶媒体。
【請求項２３】
前記1つまたは複数のプロセッサにより実行されたとき、前記1つまたは複数のプロセッサに、前記第1のフラグの前記値に基づいて前記VPSの前記VPS拡張部分の前記VUIの中の第2のフラグの値を決定させる命令をさらに備え、前記第2のフラグが、前記VPSの前記VPS拡張部分の前記VUIにおいて仮の参照デコーダパラメータがシグナリングされるかどうかを定義する、請求項22に記載のコンピュータ可読記憶媒体。
【請求項２４】
ベースレイヤと1つまたは複数の複数のエンハンスレイヤを備える符号化されたビデオビットストリームを生成するための手段であって、前記符号化されたビデオビットストリームが前記符号化されたビデオビットストリームのパラメータを定義するビデオパラメータセット(VPS)を含み、前記ベースレイヤのパラメータは前記VPSの基本部分で定義され、前記1つまたは複数のエンハンスレイヤのパラメータは少なくとも前記VPSのVPS拡張部分で定義され、前記VPSの前記VPS拡張部分は前記1つまたは複数のエンハンスレイヤに適用されるビデオ使用可能性情報(VUI)を含む、手段と、
前記VPSにおいてタイミング情報がシグナリングされるかどうかを決定するための手段と、
タイミング情報が前記VPSにおいてシグナリングされるかどうかに基づいて、前前記VPSの前記VPS拡張部分の前記VUIにおいて仮の参照デコーダパラメータをシグナリングするかどうかを決定するための手段とを備える、装置。
【請求項２５】
タイミング情報が前記VPSの前記VPS拡張部分の前記VUIにおいてシグナリングされるとき、前記仮の参照デコーダパラメータが、前記VPSにおいてシグナリングされる、請求項24に記載の装置。
【請求項２６】
タイミング情報が前記VPSの前記VPS拡張部分の前記VUIにおいてシグナリングされないとき、前記仮の参照デコーダパラメータが、前記VPSにおいてシグナリングされない、請求項24に記載の装置。
【請求項２７】
前記VPSにおいて前記タイミング情報がシグナリングされるかどうかを決定するステップが、前記VPSの中の第1のフラグの値を決定するステップを含み、前記第1のフラグが、前記タイミング情報が前記VPSにおいてシグナリングされるかどうかを示す、請求項24に記載の装置。
【請求項２８】
前記第1のフラグの前記値に基づいて前記VPSの前記VPS拡張部分の前記VUIの中の第2のフラグの値を決定するための手段をさらに備え、前記第2のフラグが、前記VPSの前記VPS拡張部分の前記VUIにおいて仮の参照デコーダパラメータがシグナリングされるかどうかを定義する、請求項27に記載の装置。
【請求項２９】
前記VPSの前記VPS拡張部分の前記VUIにおいて、前記符号化されたビデオビットストリームに関する情報をシグナリングするための1つまたは複数のシンタックス要素を提供するための手段をさらに備え、前記情報が、前記第2のフラグの前記値が前記第1のフラグの前記値に依存するという条件を含む、請求項28に記載の装置。
【請求項３０】
前記VPSの前記VPS拡張部分の前記VUIにおいて、前記符号化されたビデオビットストリームに関する情報をシグナリングするための1つまたは複数のシンタックス要素を提供するための手段をさらに備え、前記情報が、前記第1のフラグの前記値が0に等しいときに前記第2のフラグの前記値が0に設定されるべきであるという制約を含む、請求項28に記載の装置。